【手続補正書】
【提出日】平成30年3月5日(2018.3.5)
【手続補正１】
【補正対象書類名】特許請求の範囲
【補正対象項目名】全文
【補正方法】変更
【補正の内容】
【特許請求の範囲】
【請求項１】
第１の動作モードで動作するとき、中間差動信号を増幅し、第１の増幅器の出力端子においてシングルエンド出力信号を生成するように構成され、第２の動作モードで動作するとき、接地に前記第１の増幅器の前記出力端子を結合するように構成された前記第１の増幅器と、前記第１の増幅器は、
供給電圧と接地とから成るグループからの少なくとも１つに結合されたドレイン端子と、前記第１の増幅器の前記出力端子に結合されたソース端子とを備える第１のＮＭＯＳトランジスタと、
前記第１のＮＭＯＳトランジスタの前記ソース端子に結合されたドレイン端子と、接地に結合されたソース端子とを備える第２のＮＭＯＳトランジスタと
を備える、
前記第２の動作モードで動作するとき、前記中間差動信号を増幅し、第２の増幅器の出力端子において差動出力信号を生成するように構成された前記第２の増幅器と、
前記第１の増幅器の前記出力端子に直接結合された第１の端子と、アンテナに結合された第２の端子とを含む第１のインダクタと、
前記第２の増幅器の前記出力端子にわたって直接結合された第２のインダクタと
を備える誘導結合器と
を備える、デュアルモード電力増幅器。
【請求項２】
前記第１のＮＭＯＳトランジスタおよび前記第２のＮＭＯＳトランジスタが、前記第１の動作モードで動作するとき、飽和領域にあるようにバイアスをかけ、前記第１のＮＭＯＳトランジスタおよび前記第２のＮＭＯＳトランジスタが、前記第２の動作モードで動作するとき、三極管領域にあるようにバイアスをかけるように構成されたバイアス回路をさらに備える、請求項１に記載のデュアルモード電力増幅器。
【請求項３】
前記第１のＮＭＯＳトランジスタおよび前記第２のＮＭＯＳトランジスタは、前記第１の動作モードで動作するとき、前記中間差動信号に少なくとも部分的に基づいて、前記シングルエンド出力信号を生成するように構成される、請求項１に記載のデュアルモード電力増幅器。
【請求項４】
前記第１のＮＭＯＳトランジスタの前記ドレイン端子は、前記第１の動作モードで動作するとき、前記供給電圧に結合され、前記第１のＮＭＯＳトランジスタの前記ドレイン端子は、前記第２の動作モードで動作するとき、接地に結合される、
請求項１に記載のデュアルモード電力増幅器。
【請求項５】
前記第２のＮＭＯＳトランジスタのゲート端子は、前記第１の動作モードで動作するとき、第１のバイアス電圧に結合され、前記第２の動作モードで動作するとき、基準電圧に結合される、
請求項１に記載のデュアルモード電力増幅器。
【請求項６】
前記第１の増幅器および前記第２の増幅器の動作モードに少なくとも部分的に基づいて、前記第１の増幅器および前記第２の増幅器のためのモード選択信号を生成するように構成された制御ブロック
をさらに備える、請求項１に記載のデュアルモード電力増幅器。
【請求項７】
前記制御ブロックは、送信出力電力がしきい値レベル未満になるとき、前記第１の動作モードを示す第１の状態に前記モード選択信号を駆動するように構成され、
前記制御ブロックは、前記送信出力電力が前記しきい値レベル以上になるとき、前記第２の動作モードを示す第２の状態に前記モード選択信号を駆動するように構成される、
請求項６に記載のデュアルモード電力増幅器。
【請求項８】
前記第１のインダクタおよび前記第２のインダクタは、前記第２の増幅器の前記差動出力を前記アンテナに結合するためのバランとして機能するように構成される、請求項１に記載のデュアルモード電力増幅器。
【請求項９】
差動入力信号を増幅し、前記中間差動信号を生成するための第３の増幅器
をさらに備える、請求項１に記載のデュアルモード電力増幅器。
【請求項１０】
前記第１の増幅器および前記第２の増幅器の動作モードは、前記デュアルモード電力増幅器の送信出力電力に少なくとも部分的に基づく、請求項１に記載のデュアルモード電力増幅器。
【請求項１１】
前記第１のＮＭＯＳトランジスタのゲート端子は、前記中間差動信号の第１の部分を受信するように構成され、前記第２のＮＭＯＳトランジスタのゲート端子は、前記中間差動信号の第２の部分を受信するように構成される、請求項１に記載のデュアルモード電力増幅器。
【請求項１２】
通信信号を増幅するためのワイヤレス通信デバイスであって、前記デバイスは、
第１のトランシーバと、
前記第１のトランシーバに結合され、
第１の動作モードで動作するとき、中間差動信号を増幅し、第１の増幅器の出力端子においてシングルエンド出力信号を生成するように構成され、第２の動作モードで動作するとき、接地に前記第１の増幅器の前記出力端子を結合するように構成された前記第１の増幅器と、前記第１の増幅器は、
供給電圧と接地とから成るグループからの少なくとも１つに結合されたドレイン端子と、前記第１の増幅器の前記出力端子に結合されたソース端子とを備える第１のＮＭＯＳトランジスタと、
前記第１のＮＭＯＳトランジスタの前記ソース端子に結合されたドレイン端子と、接地に結合されたソース端子とを備える第２のＮＭＯＳトランジスタと
を備える、
前記第２の動作モードで動作するとき、前記中間差動信号を増幅し、第２の増幅器の出力端子において差動出力信号を生成するように構成された前記第２の増幅器と、
前記第１の増幅器の前記出力端子に直接結合された第１の端子と、アンテナに結合された第２の端子とを含む第１のインダクタと、
前記第２の増幅器の前記出力端子にわたって直接結合された第２のインダクタと
を備える誘導結合器と
を備える、デュアルモード電力増幅器と
を備える、ワイヤレス通信デバイス。
【請求項１３】
前記第１のＮＭＯＳトランジスタおよび前記第２のＮＭＯＳトランジスタが、前記第１の動作モードで動作するとき、飽和領域にあるようにバイアスをかけ、前記第１のＮＭＯＳトランジスタおよび前記第２のＮＭＯＳトランジスタが、前記第２の動作モードで動作するとき、三極管領域にあるようにバイアスをかけるように構成されたバイアス回路をさらに備える、請求項１２に記載のワイヤレス通信デバイス。
【請求項１４】
前記第１のＮＭＯＳトランジスタおよび前記第２のＮＭＯＳトランジスタは、前記第１の動作モードで動作するとき、前記中間差動信号に少なくとも部分的に基づいて、前記シングルエンド出力信号を生成するように構成される、請求項１２に記載のワイヤレス通信デバイス。
【請求項１５】
前記第１のＮＭＯＳトランジスタの前記ドレイン端子は、前記第１の動作モードで動作するとき、前記供給電圧に結合され、前記第１のＮＭＯＳトランジスタの前記ドレイン端子は、前記第２の動作モードで動作するとき、接地に結合される、請求項１２に記載のワイヤレス通信デバイス。
【請求項１６】
前記第２のＮＭＯＳトランジスタのゲート端子は、前記第１の動作モードで動作するとき、バイアス電圧に結合され、前記第２の動作モードで動作するとき、供給電圧に結合される、請求項１２に記載のワイヤレス通信デバイス。
【請求項１７】
前記第１の増幅器は、
前記第１の増幅器および前記第２の増幅器の動作モードに少なくとも部分的に基づいて、前記第１の増幅器および前記第２の増幅器のためのモード選択信号を生成するように構成された制御ブロック
を備える、請求項１２に記載のワイヤレス通信デバイス。
【請求項１８】
第２のトランシーバと、
前記デュアルモード電力増幅器に前記第１のトランシーバおよび前記第２のトランシーバを結合するように構成されたセレクタと
をさらに備え、ここにおいて、前記第１のトランシーバは、第１のプロトコルに従って通信信号を送信および受信するように構成され、前記第２のトランシーバは、前記第１のプロトコルとは異なる、第２のプロトコルに従って通信信号を送信および受信するように構成される、
請求項１２に記載のワイヤレス通信デバイス。
【請求項１９】
デュアルモード電力増幅器を用いて入力信号を増幅するための方法であって、前記方法は、
第１の増幅器によって、第１の動作モードで動作するとき、前記第１の増幅器の出力端子においてシングルエンド出力信号を生成するために中間差動信号を増幅し、第２の動作モードで動作するとき、接地に前記第１の増幅器の前記出力端子を結合することと、前記第１の増幅器は、
供給電圧と接地とから成るグループからの少なくとも１つに結合されたドレイン端子と、前記第１の増幅器の前記出力端子に結合されたソース端子とを備える第１のＮＭＯＳトランジスタと、
前記第１のＮＭＯＳトランジスタの前記ソース端子に結合されたドレイン端子と、接地に結合されたソース端子とを備える第２のＮＭＯＳトランジスタと
を備える、
第２の増幅器によって、前記第２の動作モードで動作するとき、前記第２の増幅器の出力端子において差動出力信号を生成するために前記中間差動信号を増幅することと、ここにおいて、前記第１の増幅器および前記第２の増幅器は、
前記第１の増幅器の前記出力端子に直接結合された第１の端子と、アンテナに結合された第２の端子とを含む第１のインダクタと、
前記第２の増幅器の前記出力端子にわたって直接結合された第２のインダクタと
を備える誘導結合器によって前記アンテナに結合される、
を備える、方法。
【請求項２０】
第３の増幅器によって、前記中間差動信号を生成するために前記入力信号を増幅すること、ここにおいて、前記入力信号は、差動信号である、
をさらに備える、請求項１９に記載の方法。
【請求項２１】
前記デュアルモード電力増幅器の送信出力電力に少なくとも部分的に基づいて、前記第１の動作モードまたは前記第２の動作モードのいずれかを選択すること
をさらに備える、請求項１９に記載の方法。
【請求項２２】
前記送信出力電力は、前記デュアルモード電力増幅器によって増幅される通信信号のプロトコルに少なくとも部分的に基づく、請求項２１に記載の方法。
【請求項２３】
ワイヤレスデバイスの１つまたは複数のプロセッサによって実行されると、前記ワイヤレスデバイスに、
デュアルモード電力増幅器の第１の増幅器によって、第１の動作モードで動作するとき、前記第１の増幅器の出力端子においてシングルエンド出力信号を生成するために中間差動信号を増幅し、第２の動作モードで動作するとき、接地に前記第１の増幅器の前記出力端子を結合することと、前記第１の増幅器は、
供給電圧と接地とから成るグループからの少なくとも１つに結合されたドレイン端子と、前記第１の増幅器の前記出力端子に結合されたソース端子とを備える第１のＮＭＯＳトランジスタと、
前記第１のＮＭＯＳトランジスタの前記ソース端子に結合されたドレイン端子と、接地に結合されたソース端子とを備える第２のＮＭＯＳトランジスタと
を備える、
第２の増幅器によって、前記第２の動作モードで動作するとき、前記第２の増幅器の出力端子において差動出力信号を生成するために前記中間差動信号を増幅することと、ここにおいて、前記第１の増幅器および前記第２の増幅器は、
前記第１の増幅器の前記出力端子に直接結合された第１の端子と、アンテナに結合された第２の端子とを含む第１のインダクタと、
前記第２の増幅器の前記出力端子にわたって直接結合された第２のインダクタと
を備える誘導結合器によって前記アンテナに結合される、
を行わせる命令を記憶した非一時的なコンピュータ可読媒体。
【請求項２４】
前記命令の実行は、前記ワイヤレスデバイスに、
第３の増幅器によって、前記中間差動信号を生成するために入力信号を増幅すること、ここにおいて、前記入力信号は、差動信号である、
をさらに行わせる、請求項２３に記載の非一時的なコンピュータ可読媒体。
【請求項２５】
前記命令の実行は、前記ワイヤレスデバイスに、
前記デュアルモード電力増幅器の送信出力電力に少なくとも部分的に基づいて、前記第１の動作モードまたは前記第２の動作モードのいずれかを選択すること
をさらに行わせる、請求項２３に記載の非一時的なコンピュータ可読媒体。
【請求項２６】
前記送信出力電力は、前記デュアルモード電力増幅器によって増幅される通信信号のプロトコルに少なくとも部分的に基づく、請求項２５に記載の非一時的なコンピュータ可読媒体。
【手続補正２】
【補正対象書類名】明細書
【補正対象項目名】００４０
【補正方法】変更
【補正の内容】
【００４０】
[0044]前述の明細書では、本実施形態は、その特定の例示的な実施形態に関して説明されてきた。しかしながら、添付の特許請求の範囲に示される本開示のより広い範囲から逸脱することなく、それに対する様々な修正および変更がなされ得ることは明らかであろう。したがって、本明細書および図面は、限定的な意味ではなく、例示的な意味で考慮されるべきである。
以下に本願の出願当初の特許請求の範囲に記載された発明を付記する。
［Ｃ１］
第１の動作モードで動作するとき、中間差動信号を増幅し、第１の増幅器の出力端子においてシングルエンド出力信号を生成し、第２の動作モードで動作するとき、接地に前記第１の増幅器の前記出力端子を結合するための前記第１の増幅器と、
前記第２の動作モードで動作するとき、前記中間差動信号を増幅し、第２の増幅器の出力端子において差動出力信号を生成し、前記第１の動作モードで動作するとき、接地に前記第２の増幅器の前記出力端子を結合するための前記第２の増幅器と
を備える、デュアルモード電力増幅器。
［Ｃ２］
前記第１の増幅器は、
第１のＮＭＯＳトランジスタと、
第２のＮＭＯＳトランジスタと
を備え、ここにおいて、前記第１のＮＭＯＳトランジスタおよび前記第２のＮＭＯＳトランジスタは、前記第１の動作モードで動作するとき、飽和領域においてバイアスをかけられ、前記第２の動作モードで動作するとき、三極管領域においてバイアスをかけられる、
Ｃ１に記載のデュアルモード電力増幅器。
［Ｃ３］
前記第１の増幅器は、
第１のＮＭＯＳトランジスタと、
第２のＮＭＯＳトランジスタと
を備え、ここにおいて、前記第１のＮＭＯＳトランジスタおよび前記第２のＮＭＯＳトランジスタは、前記第１の動作モードで動作するとき、前記中間差動信号に少なくとも部分的に基づいて、前記シングルエンド出力信号を生成するためのものである、
Ｃ１に記載のデュアルモード電力増幅器。
［Ｃ４］
前記第１の増幅器は、
第１のＮＭＯＳトランジスタと、
第２のＮＭＯＳトランジスタと
を備え、ここにおいて、前記第１のＮＭＯＳトランジスタのドレイン端子は、前記第１の動作モードで動作するとき、供給電圧に結合され、前記第１のＮＭＯＳトランジスタの前記ドレイン端子は、前記第２の動作モードで動作するとき、接地に結合される、
Ｃ１に記載のデュアルモード電力増幅器。
［Ｃ５］
前記第１の増幅器は、
第１のＮＭＯＳトランジスタと、
第２のＮＭＯＳトランジスタと
を備え、ここにおいて、前記第２のＮＭＯＳトランジスタのゲート端子は、前記第１の動作モードで動作するとき、第１のバイアス電圧に結合され、前記第２の動作モードで動作するとき、基準電圧に結合される、
Ｃ１に記載のデュアルモード電力増幅器。
［Ｃ６］
前記第１の増幅器および前記第２の増幅器の前記動作モードに少なくとも部分的に基づいて、前記第１の増幅器および前記第２の増幅器のためのモード選択信号を生成するための制御ブロック
をさらに備える、Ｃ１に記載のデュアルモード電力増幅器。
［Ｃ７］
前記制御ブロックは、送信出力電力がしきい値レベル未満になるとき、前記第１の動作モードを示す第１の状態に前記モード選択信号を駆動するように構成され、
前記制御ブロックは、前記送信出力電力が前記しきい値レベル以上になるとき、前記第２の動作モードを示す第２の状態に前記モード選択信号を駆動するように構成される、
Ｃ６に記載のデュアルモード電力増幅器。
［Ｃ８］
前記第２の増幅器からの前記差動出力信号は、前記第２の動作モードで動作するとき、バランを通じて前記デュアルモード電力増幅器の出力端子に結合される、Ｃ１に記載のデュアルモード電力増幅器。
［Ｃ９］
差動入力信号を増幅し、前記中間差動信号を生成するための第３の増幅器
をさらに備える、Ｃ１に記載のデュアルモード電力増幅器。
［Ｃ１０］
前記デュアルモード電力増幅器の出力端子に前記第１の増幅器および前記第２の増幅器を選択的に結合するための誘導結合器
をさらに備える、Ｃ１に記載のデュアルモード電力増幅器。
［Ｃ１１］
前記誘導結合器は、
前記第１の動作モードで動作するとき、出力インダクタを形成し、前記第２の動作モードで動作するとき、バランを形成するように、前記第１の増幅器の前記出力端子に結合された第１のインダクタと、
前記第２の動作モードで動作するとき、前記第１のインダクタに前記差動出力信号を結合するように、前記第２の増幅器に結合された第２のインダクタと
を備える、Ｃ１０に記載のデュアルモード電力増幅器。
［Ｃ１２］
前記第１の増幅器および前記第２の増幅器の動作モードは、前記デュアルモード電力増幅器の送信出力電力に少なくとも部分的に基づく、Ｃ１に記載のデュアルモード電力増幅器。
［Ｃ１３］
前記送信出力電力は、前記デュアルモード電力増幅器によって増幅される通信信号のプロトコルに少なくとも部分的に基づく、Ｃ１２に記載のデュアルモード電力増幅器。
［Ｃ１４］
通信信号を増幅するためのワイヤレス通信デバイスであって、前記デバイスは、
第１のトランシーバと、
前記第１のトランシーバに結合され、
第１の動作モードで動作するとき、中間差動信号を増幅し、第１の増幅器の出力端子においてシングルエンド出力信号を生成し、第２の動作モードで動作するとき、接地に前記第１の増幅器の前記出力端子を結合するための前記第１の増幅器と、
前記第２の動作モードで動作するとき、前記中間差動信号を増幅し、第２の増幅器の出力端子において差動出力信号を生成し、前記第１の動作モードで動作するとき、接地に前記第２の増幅器の前記出力端子を結合するための前記第２の増幅器と、
を備える、デュアルモード電力増幅器と
を備える、ワイヤレス通信デバイス。
［Ｃ１５］
前記第１の増幅器は、
第１のＮＭＯＳトランジスタと、
第２のＮＭＯＳトランジスタと
を備え、ここにおいて、前記第１のＮＭＯＳトランジスタおよび前記第２のＮＭＯＳトランジスタは、前記第１の動作モードで動作するとき、飽和領域においてバイアスをかけられ、前記第２の動作モードで動作するとき、三極管領域においてバイアスをかけられる、
Ｃ１４に記載のワイヤレス通信デバイス。
［Ｃ１６］
前記第１の増幅器は、
第１のＮＭＯＳトランジスタと、
第２のＮＭＯＳトランジスタと
を備え、ここにおいて、前記第１のＮＭＯＳトランジスタおよび前記第２のＮＭＯＳトランジスタは、前記第１の動作モードで動作するとき、前記中間差動信号に少なくとも部分的に基づいて、前記シングルエンド出力信号を生成するためのものである、
Ｃ１４に記載のワイヤレス通信デバイス。
［Ｃ１７］
前記第１の増幅器は、
第１のＮＭＯＳトランジスタと、
第２のＮＭＯＳトランジスタと
を備え、ここにおいて、前記第１のＮＭＯＳトランジスタのドレイン端子は、前記第１の動作モードで動作するとき、供給電圧に結合され、前記第１のＮＭＯＳトランジスタの前記ドレイン端子は、前記第２の動作モードで動作するとき、接地に結合される、
Ｃ１４に記載のワイヤレス通信デバイス。
［Ｃ１８］
前記第１の増幅器は、
第１のＮＭＯＳトランジスタと、
第２のＮＭＯＳトランジスタと
を備え、ここにおいて、前記第２のＮＭＯＳトランジスタのゲート端子は、前記第１の動作モードで動作するとき、バイアス電圧に結合され、前記第２の動作モードで動作するとき、供給電圧に結合される、
Ｃ１４に記載のワイヤレス通信デバイス。
［Ｃ１９］
前記第１の増幅器は、
前記第１の増幅器および前記第２の増幅器の前記動作モードに少なくとも部分的に基づいて、前記第１の増幅器および前記第２の増幅器のためのモード選択信号を生成するように構成された制御ブロック
を備える、Ｃ１４に記載のワイヤレス通信デバイス。
［Ｃ２０］
第２のトランシーバと、
前記デュアルモード電力増幅器に前記第１のトランシーバおよび前記第２のトランシーバを結合するためのセレクタと
をさらに備え、ここにおいて、前記第１のトランシーバは、第１のプロトコルに従って通信信号を送信および受信するためのものであり、前記第２のトランシーバは、前記第１のプロトコルとは異なる、第２のプロトコルに従って通信信号を送信および受信するためのものである、
Ｃ１４に記載のワイヤレス通信デバイス。
［Ｃ２１］
前記デュアルモード電力増幅器の出力端子に前記第１の増幅器および前記第２の増幅器を選択的に結合するための誘導結合器
をさらに備える、Ｃ１４に記載のワイヤレス通信デバイス。
［Ｃ２２］
前記第１の動作モードで動作するとき、出力インダクタを形成し、前記第２の動作モードで動作するとき、バランを形成するように、前記第１の増幅器の前記出力端子に結合された第１のインダクタと、
前記第２の動作モードで動作するとき、前記第１のインダクタに前記差動出力信号を結合するように、前記第２の増幅器に結合された第２のインダクタと
をさらに備える、Ｃ２１に記載のワイヤレス通信デバイス。
［Ｃ２３］
デュアルモード電力増幅器を用いて入力信号を増幅するための方法であって、前記方法は、
第１の増幅器によって、第１の動作モードで動作するとき、前記第１の増幅器の出力端子においてシングルエンド出力信号を生成するために中間差動信号を増幅し、第２の動作モードで動作するとき、接地に前記第１の増幅器の前記出力端子を結合することと、
第２の増幅器によって、前記第２の動作モードで動作するとき、前記第２の増幅器の出力端子において差動出力信号を生成するために前記中間差動信号を増幅し、前記第１の動作モードで動作するとき、接地に前記第２の増幅器の前記出力端子を結合することと
を備える、方法。
［Ｃ２４］
第３の増幅器によって、前記中間差動信号を生成するために前記入力信号を増幅すること、ここにおいて、前記入力信号は、差動信号である、
をさらに備える、Ｃ２３に記載の方法。
［Ｃ２５］
前記デュアルモード電力増幅器の送信出力電力に少なくとも部分的に基づいて、前記第１の動作モードまたは前記第２の動作モードのいずれかを選択すること
をさらに備える、Ｃ２３に記載の方法。
［Ｃ２６］
前記送信出力電力は、前記デュアルモード電力増幅器によって増幅される通信信号のプロトコルに少なくとも部分的に基づく、Ｃ２５に記載の方法。
［Ｃ２７］
ワイヤレスデバイスの１つまたは複数のプロセッサによって実行されると、前記ワイヤレスデバイスに、
デュアルモード電力増幅器の第１の増幅器によって、第１の動作モードで動作するとき、前記第１の増幅器の出力端子においてシングルエンド出力信号を生成するために中間差動信号を増幅し、第２の動作モードで動作するとき、接地に前記第１の増幅器の前記出力端子を結合することと、
第２の増幅器によって、前記第２の動作モードで動作するとき、前記第２の増幅器の出力端子において差動出力信号を生成するために前記中間差動信号を増幅し、前記第１の動作モードで動作するとき、接地に前記第２の増幅器の前記出力端子を結合することと
を行わせる命令を記憶した非一時的なコンピュータ可読媒体。
［Ｃ２８］
前記命令の実行は、前記ワイヤレスデバイスに、
第３の増幅器によって、前記中間差動信号を生成するために入力信号を増幅すること、ここにおいて、前記入力信号は、差動信号である、
をさらに行わせる、Ｃ２７に記載の非一時的なコンピュータ可読媒体。
［Ｃ２９］
前記命令の実行は、前記ワイヤレスデバイスに、
前記デュアルモード電力増幅器の送信出力電力に少なくとも部分的に基づいて、前記第１の動作モードまたは前記第２の動作モードのいずれかを選択すること
をさらに行わせる、Ｃ２７に記載の非一時的なコンピュータ可読媒体。
［Ｃ３０］
前記送信出力電力は、前記デュアルモード電力増幅器によって増幅される通信信号のプロトコルに少なくとも部分的に基づく、Ｃ２９に記載の非一時的なコンピュータ可読媒体。